(57)【要約】【課題】  マッサージ効果の高いリンパマッサージを入浴者に対して行うことができ、リンパマッサージと同時に気泡による温熱効果を与えることができるリンパマッサージバスを提供する。【解決手段】  浴槽８の内面部に浴水を浴槽８内に向けて吐出するノズル装置１を並設する。各ノズル装置１を、浴水を浴槽８内に向けて吐出する浴水吐出部１４と気泡を生成する気泡生成部１５を備えると共に浴水吐出部１４からの浴水の吐出と気泡生成部１５での気泡の生成とを選択的に行えるものとする。これら複数のノズル装置１のうち前端に配置されたノズル装置１ａから後端に配置されたノズル装置１ｃにかけて順番に浴水吐出部１４から浴水を吐出し、この際リンパマッサージ用の浴水を吐出していないノズル装置の気泡生成部１５で気泡を生成する。【選択図】        図１
2006087718.tif 000002
【特許請求の範囲】
【請求項１】
浴槽の内面部に浴水を浴槽内に向けて吐出するノズル装置を並設し、前記ノズル装置の並設方向における一方を前方と定義すると共に反対側の他方を後方と定義し、前記複数のノズル装置のうち前端に配置されたノズル装置から後端に配置されたノズル装置にかけて順番に浴水を吐出して入浴者のリンパマッサージを行うリンパマッサージバスであって、前記各ノズル装置を、浴水を浴槽内に向けて吐出する浴水吐出部と気泡を生成する気泡生成部を備えると共に浴水吐出部からの浴水の吐出と気泡生成部での気泡の生成とを選択的に行えるものとし、これら複数のノズル装置のうち前端に配置されたノズル装置から後端に配置されたノズル装置にかけて順番にその浴水吐出部から浴水を吐出し、この時にリンパマッサージ用の浴水を吐出していないノズル装置の気泡生成部で気泡を生成する制御を行う制御部を備えて成ることを特徴とするリンパマッサージバス。
【請求項２】
上記各ノズル装置の浴水吐出部から吐出される浴水の吐出方向を斜め後方として成ることを特徴とする請求項１に記載のリンパマッサージバス。
【発明の詳細な説明】
【技術分野】
【０００１】
本発明は、浴槽の内面部に並設した複数のノズル装置から順次浴水を吐出して噴流を入浴者に当てることで入浴者のリンパマッサージを行うリンパマッサージバスに関する。
【背景技術】
【０００２】
従来から浴槽の内面部に設けたノズル装置から浴水を浴槽内に向けて吐出し、これにより生成される噴流を入浴者に当ててマッサージ効果を与えるマッサージバスが知られている。
【０００３】
しかしこの種のマッサージバスは噴流を入浴者のマッサージ部位に略直角に当てて噴流を当てた部位を揉みほぐして筋肉等の疲労回復を図るようにしたものにすぎず、またこのものは前記噴流のみによりマッサージ効果を与えるものであるためマッサージ効果が低い。
【０００４】
また例えば特許文献１には浴槽の内面部に浴槽内に向けて浴水を吐出する噴流器を複数設けると共に気泡を生成する気泡生成器を設け、複数の噴流器から噴出された噴流をマッサージ部位である背中に略直角に当てると共に、気泡生成器で生成された気泡を入浴者に当てて温熱効果等を得るマッサージバスがあり、このものは噴流に加えて気泡を入浴者に当てることでマッサージ効果を高めている。
【０００５】
しかしながらこの特許文献１に示すマッサージバスにおける噴流も、マッサージ部位に直角に当てて筋肉を揉みほぐすものにすぎず、また噴流器と気泡生成器とを別々に設けているため、配管等のシステムが複雑であってコストアップの要因となっていた。
【０００６】
また従来では人が行う効果的なマッサージとしてリンパマッサージが行われている。リンパは血しょうの成分が毛細血管から結合組織（皮下組織）にしみだしたもので、該結合組織にある過剰水分、タンパク質、老廃物等をリンパ液の流れるプロセスにおいて浄化、濾過、濃縮した後、血流に運び込む役目をしている。つまり、結合組織内の過剰水分、タンパク質、老廃物等がリンパ管の先端からリンパ液としてリンパ管内に流れ、リンパ管の途中の所々にあるリンパ節でリンパ液内の病原体、異物、毒素等を取り除き、更にリンパ管を次のリンパ節の方に流れ、最後に、首の辺りの静脈に合流して、心臓に流れ込むようになっている。つまりリンパ液は手足の先端部に位置するリンパ管の先端から手足の付け根等にあるリンパ節を通り、更に手足の付け根のリンパ節から首の辺りのリンパ節に向けて流れ、静脈から心臓に向けて流れるものである。
【０００７】
リンパマッサージは人の腕や脚においてその先端から基端側にかけて擦るように揉み上げるものであって、これにより人の略全身において足先側から頭側に向かう方向に通るリンパの流れを促進して、上記リンパ管が障害を起こしたり、リンパ節が障害を起こして、リンパ液の流れが阻害されて「むくみ」等が生じることを防ぐものであるが、このようなリンパマッサージを入浴者に対して行うことができるマッサージバスは従来にはなかった。
【特許文献１】特開２００３−２５０８５４号公報
【発明の開示】
【発明が解決しようとする課題】
【０００８】
本発明は上記従来の問題点に鑑みて発明したものであって、リンパマッサージを入浴者に対して行うことができ、さらにこのリンパマッサージの際にはリンパマッサージを行っていない他の部位に気泡を当てて気泡による温熱効果を与えることができ、しかも配管等のシステムを単純化することができてコストを削減できるリンパマッサージバスを提供することを課題とする。
【課題を解決するための手段】
【０００９】
上記課題を解決するために本発明に係るリンパマッサージバスは、浴槽８の内面部に浴水を浴槽８内に向けて吐出するノズル装置１を並設し、前記ノズル装置１の並設方向イにおける一方ロを前方と定義すると共に反対側の他方ハを後方と定義し、前記複数のノズル装置１のうち前端に配置されたノズル装置１ａから後端に配置されたノズル装置１ｃにかけて順番に浴水を吐出して入浴者７のリンパマッサージを行うリンパマッサージバスであって、前記各ノズル装置１を、浴水を浴槽８内に向けて吐出する浴水吐出部１４と気泡を生成する気泡生成部１５を備えると共に浴水吐出部１４からの浴水の吐出と気泡生成部１５での気泡の生成とを選択的に行えるものとし、これら複数のノズル装置１のうち前端に配置されたノズル装置１ａから後端に配置されたノズル装置１ｃにかけて順番にその浴水吐出部１４から浴水を吐出し、この時にリンパマッサージ用の浴水を吐出していないノズル装置１の気泡生成部１５で気泡を生成する制御を行う制御部２０を備えて成ることを特徴とする。
【００１０】
上記のように複数のノズル装置１のうち前端に配置されたノズル装置１ａから後端に配置されたノズル装置１ｃにかけて順番にその浴水吐出部１４から浴水を吐出することで、入浴者７の手足の先端から基端にかけて通るリンパ管の上流側から下流側にかけて順番に浴水を当ててリンパマッサージを行うことができ、さらにはこの浴水によるリンパマッサージの際にはリンパマッサージ用の浴水を吐出していないノズル装置の気泡生成部で気泡を生成するため、浴水によるリンパマッサージと同時にリンパマッサージ用の浴水が当てられていない部位に気泡を当てることができ、入浴者７に対してリンパマッサージ効果と気泡による温熱効果を同時に与えることができる。またここで使用される各ノズル装置１は、浴水を浴槽８内に向けて吐出する浴水吐出部１４と気泡を生成する気泡生成部１５とを備えると共に浴水吐出部１４からの浴水の吐出と気泡生成部１５での気泡の生成とを選択的に行えるものであるので、配管等のシステムを単純化できてコストを削減できる。
【００１１】
また上記各ノズル装置１の浴水吐出部１４から吐出される浴水の吐出方向を斜め後方とすることも好ましい。
【００１２】
後方、即ち入浴者７のリンパ管の流れ方向に傾けて浴水を吐出することができ、これによりリンパマッサージ用の浴水にて入浴者７のリンパをリンパの流れ方向に擦るようにマッサージでき、リンパマッサージによる効果が一層増す。
【発明の効果】
【００１３】
本発明では、入浴者に対してリンパマッサージ効果と気泡による温熱効果を同時に与えることができ、しかもノズル装置の施工を容易にでき且つ配管等のシステムを単純にすることができてコストを削減できる。
【発明を実施するための最良の形態】
【００１４】
以下、本発明を添付図面に示す実施形態に基いて説明する。本実施形態のリンパマッサージバスは、図２に示すように入浴者７の足先側及び頭部側の配置位置が特定される形状を有する浴槽８を有しており、該浴槽８は一端部側が仰向けの入浴者７の足先側が位置する足先配置部３となり且つ他端部側が仰向けの入浴者７の頭部側が位置する頭部配置部４となっていて、該浴槽８の湯船は平面視で足先配置部３と頭部配置部４とを結ぶ方向に長い楕円形状に形成されている。
【００１５】
入浴者７が足先配置部３側に足先側を位置させ且つ頭部配置部４側に頭部側を位置させるという一般的な浴槽８への入浴姿勢をとって入浴した場合、図２（ｂ）に示すように入浴者７の臀部を浴槽８の底面部８ｃの頭部配置部４側の端部寄りの部分である臀部置き部９に置いて背中を頭部配置部４側の側壁部８ａに当接又は僅かな隙間をあけて対向させて沿わせ、且つ下肢を伸ばすか又はく字状に曲げて足先を足先配置部３側の側壁部８ｂの下部又は底面部８ｃの足先配置部３側の端部付近に位置させ、且つ入浴者７の左右方向における中心が浴槽８の足先配置部３と頭部配置部４とを結ぶ方向に平面視で直交する方向における中心と一致するような入浴姿勢となるものである。この場合、両腕を身体の両脇に自然に沿わせると、両腕は図２（ａ）に示すように身体の胴部の両側から両下肢の大腿部に沿って配置される姿勢となる。
【００１６】
ここで頭部配置部４側の側壁部８ａは入浴者７が上記のような一般的な入浴姿勢をとって、入浴者７の臀部を臀部置き部９に置いた場合、背中を沿わせることができるように他の側壁部８ａ、８ｂ、８ｄ、８ｅよりもやや緩やかに傾斜している。
【００１７】
上記浴槽８の底面部８ｃには図２に示すようにリンパマッサージ用の浴水を浴槽８内に向けて（後斜め上方に向けて）吐出するノズル装置１を足先配置部３と頭部配置部４とを結ぶ方向に沿って一直線状に複数並設してあり、ここでノズル装置１の並設方向イ（即ち足先配置部３と頭部配置部４を結ぶ方向）における一方ロを前方とし反対側の他方ハを後方と定義すると共に平面視において前後方向に直交する方向ニを左右方向と定義すると、本実施形態では前後方向に一直線状に並設された複数のノズル装置１を左右方向に複数列設けている。具体的には前後方向に３つのノズル装置１を設けてなる列を左右方向に間隔を介して２列設けており、この２列のノズル装置１は入浴者７の両下肢の幅方向における中心を通る位置に夫々配列されている。
【００１８】
各列のノズル装置１は前後方向において同じ位置に設けられており、つまりノズル装置１は前後方向の複数箇所において左右方向に複数設けられている。図示例では各列のノズル装置１を前後方向において下肢の下腿部と同じ位置及び下肢の大腿部と同じ位置及び腰部と同じ位置の３箇所に設けてあり、各ノズル装置１から吐出される浴水は上斜め後方に向けて吐出され、入浴者７の対応する部分に斜めから当たり、対応する部分の皮膚表面を擦るように流れる。以下図３〜６、図８に基づいて上記ノズル装置１について詳述する。
【００１９】
ノズル装置１はリンパマッサージ用の浴水である気泡を含む浴水を浴槽８内に向けて吐出する浴水吐出部１４と、気泡を生成する気泡生成部１５を備えると共に浴水吐出部１４からの浴水の吐出と気泡生成部１５での気泡の生成のいずれか一方を選択的に行えるものであって、さらに本実施形態の各ノズル装置１の気泡生成部１５は小気泡と大気泡のいずれか一方を選択的に生成できるようになっている。
【００２０】
具体的にノズル装置１は図３に示すように、略有底円筒状をした外筒部１１と、この外筒部１１の上蓋となる上蓋部１０とで外殻が構成され、上蓋部１０が浴槽８の底面に位置するように設置されて浴槽８内の浴水中に浴水や気泡を吐出するものであって、図４等に示すように、外筒部１１の内部に略円筒状をした中間筒部１２と、更にこの中間筒部１２の内部に略円筒状をした内筒部１３とを有する三重筒構造となっている。外筒部１１は、中間筒部１２及び内筒部１３と一体成形される外筒部本体１１ａと、この外筒部本体１１ａの上端部に嵌合される略円筒状をした外筒部取付部１１ｂとからなり、このように三重筒構造となったノズル装置１内は、外筒部１１と中間筒部１２との間の空間（以下、外側房２１という）、中間筒部１２と内筒部１３との間の空間（以下、中間房２２という）、内筒部１３内の空間（以下、内側房２３という）、の三つの独立した空間に仕切られている。
【００２１】
外側房２１、中間房２２、内側房２３にはそれぞれノズル装置１の外部に連通する管が接続されるもので、外側房２１には外側房連通管３１（図４参照）、中間房２２には中間房連通管３２（図５参照）、内側房２３には内側房連通管３３が連通接続され（図６参照）、外側房連通管３１と中間房２２及び内側房２３、中間房連通管３２と外側房２１及び内側房２３、内側房連通管３３と外側房２１及び中間房２２は連通されない。
【００２２】
また、外側房２１、中間房２２、内側房２３には、その天面部にそれぞれノズルが設けられるもので、本実施形態では上蓋部１０の対応する部分にそれぞれ各房２１、２２、２３内からノズル装置１の略上方に向けて噴出可能な外側ノズル４１、中間ノズル４２、内側ノズル４３が形成してあり、外側ノズル４１及び内側ノズル４３にて前述の浴水吐出部１４を構成すると共に、中間ノズル４２及び外側ノズル４１にて前述の気泡生成部１５を構成している。
【００２３】
上蓋部１０は、略円筒状をしたシリンダ部１０ａと、このシリンダ部１０ａの上端縁から外側と内側にそれぞれ連設されるフランジ部１０ｂと傾斜壁部１０ｃと、傾斜壁部１０ｃの内側に位置する中心部材１０ｄとで構成される。この上蓋部１０は、シリンダ部１０ａの外面を外筒部１１の内面に上方から嵌入するとともにフランジ部１０ｂを外筒部１１の上端部に当接させることで外筒部１１に取付けられる。このとき、パッキンＰ１をシリンダ部１０ａと外筒部１１との間に介在させて気密性を保つようにしてある。また上蓋部１０は、外筒部１１に取付けられた際に外側房２１、中間房２２、内側房２３が独立した空間として仕切られるように、傾斜壁部１０ｃが中間筒部１２の上端部に当接するとともに、中心部材１０ｄの略円筒状をした本体筒部１０ｅが内筒部１３の上端部に当接している。
【００２４】
傾斜壁部１０ｃは、シリンダ部１０ａの上端部の内周面から内側斜め下方に向けて突設されたテーパ状をしたもので、その平面視略円形状となる内端縁部が中間筒部１２の上端部に当接して該傾斜壁部１０ｃと中間筒部１２とで外側房２１と中間房２２とを仕切っている。また傾斜壁部１０ｃの周方向の一部（後述する内側ノズル４３が形成される部分）は中心部材１０ｄと連結される（図５、６参照）。この傾斜壁部１０ｃは、外側房２１の天面部となるもので、後述する外側ノズル４１が上下に貫通形成される。
【００２５】
中心部材１０ｄは、略円筒状をした本体筒部１０ｅと、本体筒部１０ｅの上端部に形成される略逆円錐状をした逆円錐部１０ｆとからなる。本体筒部１０ｅは、平面視において内筒部１３及び傾斜壁部１０ｃの内側に位置してその下端部は内筒部１３に嵌入され、この際パッキンＰ２を本体筒部１０ｅと内筒部１３との間に介在させて水密性を保つようにしてある。
【００２６】
逆円錐部１０ｆは本体筒部１０ｅの上端部に形成され、図４、５等に示すように、その傾斜した下面は上記傾斜壁部１０ｃの傾斜した上面と略平行となるように対向配置され、この本体筒部１０ｅの下面と傾斜壁部１０ｃの上面との間の隙間が中間房２２と連通するとともに、その上端開口が周方向の一部（内側ノズル４３が形成される部分）を除く略全周から斜め上方に浴水を吐出可能な中間ノズル４２となる（図３参照）。
【００２７】
中間ノズル４２の下内壁面は傾斜壁部１０ｃの上面及びフランジ部１０ｂの上面の内端縁近傍の部分であるが、図４〜６に示すように、この部分の垂直断面形状を上方に凸となる滑らかな曲線で形成することで、中間ノズル４２から吐出される浴水が下内壁面に沿ってより大きく広がった状態で吐出することができる。すなわち、本実施形態ではフランジ部１０ｂを、内端縁から外方へ行く程その垂直断面における接線方向が傾斜壁部１０ｃの傾斜方向から水平方向へと変化するように形成してあり、これによって、中間ノズル４２から吐出される浴水がコアンダ効果によって下内壁面に沿って流れて傾斜壁部１０ｃの傾斜方向よりもより水平方向に近い角度で側方に吐出されることとなり、ノズル装置１の限られたスペース内においてより水平方向に近い角度で吐出可能となる。そして、この中間ノズル４２の下内壁面となる傾斜壁部１０ｃの外側房２１の天面部となる部分には、平面視で略全周に亘って周方向に間隔をおいて複数の孔からなる外側ノズル４１が上下に貫通形成してあり、この外側ノズル４１の上方にて該外側ノズル４１から吐出された気泡と中間ノズル４２から吐出される浴水とがぶつかりあう。
【００２８】
また、逆円錐部１０ｆは、その内部に本体筒部１０ｅの内部（及び内側房２３）と連通する空間を形成するとともに、周方向の一部を前記空間と連通するように開口してその開口周辺を延設して傾斜壁部１０ｃに連結することで、図３、６に示すように斜め上方に浴水を吐出可能な内側ノズル４３が形成されるものである。この内側ノズル４３は、平面視において略円形状をしたノズル装置１の周方向の一部の斜め上方に向けて指向性を持って浴水を吐出することができる。そして、この内側ノズル４３の下内壁面となる傾斜壁部１０ｃの外側房２１の天面部となる部分にも図６に示すように外側ノズル４１が上下に貫通形成してあり、この外側ノズル４１の上方にて該外側ノズル４１から吐出された気泡を内側ノズル４３から吐出される浴水に混入することができる。
【００２９】
上記ノズル装置１は前述した配置でその内側ノズル４３が形成された部分が後側に位置するように、即ち内側ノズル４３の開口方向が上方且つ後方の斜方となるように浴槽８の底面部８ｃに設置され、これにより内側ノズル４３からは浴水を斜め後方に向けて吐出可能となっている。そして図１に示すように、外側房連通管３１を空気ポンプ５１を備えた空気流路５に接続するとともに、中間房連通管３２と内側房連通管３３を浴槽８の内面部に設けた図示しない吸込口に一端を接続すると共に水ポンプ６１及び流路切替え弁６２ａ〜ｃを備えた循環流路６に接続してある。
【００３０】
空気流路５は一端が空気ポンプ５１に接続された１つの空気用主流路２４と、空気用主流路２４の下流端から分岐して上記前後方向に一列に並設された各ノズル装置１の外側房連通管３１に接続された複数の空気用分岐路２５ａ〜ｃ（本実施例では３つ）とからなり、前後方向に並ぶノズル装置１の外側房連通管３１は全て異なる空気用分岐路２５ａ〜ｃに接続されている。また本実施形態では左右方向に並ぶノズル装置１の外側房連通管３１は全て同じ空気用分岐路２５ａ〜ｃに接続されている。
【００３１】
循環流路６の水ポンプ６１よりも下流側の部分は、一端が水ポンプ６１に接続された１つの水用主流路１６と、水用主流路１６の下流端から分岐して上記前後方向に一列に並設された各ノズル装置１に接続された複数の水用副流路１７ａ〜ｃ（本実施例では３つ）とからなり、前後方向に並ぶノズル装置１は全て異なる水用副流路１７ａ〜ｃに接続されている。また本実施形態では左右方向に並ぶノズル装置１は全て同じ水用副流路１７ａ〜ｃに接続されている。各水用副流路１７ａ〜ｃは、上流端が水用主流路１６に接続された１つの水用合流路１８と、水用合流路１８の下流端である分岐点Ａから更に分岐した２つの水用分岐路１９ａ、１９ｂとからなり、一方の水用分岐路であるリンパマッサージ流用分岐路１９ａは内側房連通管３３に、他方の水用分岐路である小気泡生成水流用分岐路１９ｂは中間房連通管３２に夫々接続されている。また本実施形態では、左右方向に並ぶノズル装置１の内側房連通管３３は全て同じ水用分岐路１９ａに接続されており、また左右方向に並ぶノズル装置１の中間房連通管３２は全て同じ小気泡生成水流用分岐路１９ｂに接続されている。
【００３２】
上記水用主流路１６の下流端の分岐点Ａの夫々には電動三方弁からなる流路切替え弁６２ａ〜ｃを設けてあり、該流路切替え弁６２ａ〜ｃにて水用主流路１６から各水用合流路１８に流れてきた浴水を選択された水用分岐路１９ａ（又は１９ｂ）に流したり、下流側に流さないようにできるようになっている。
【００３３】
上記空気ポンプ５１と水ポンプ６１と流路切替え弁６２ａ〜ｃは制御回路から成る制御部２０に電気的に接続されており、制御部２０により空気ポンプ５１と水ポンプ６１と流路切替え弁６２ａ〜ｃを制御することで、図７に示すように前記前後方向に並べられた複数のノズル装置１のうち前端に配置されたノズル装置１から後端に配置されたノズル装置１ｃにかけて順番にその浴水吐出部１４から浴水を吐出してリンパマッサージを行い、しかもこのリンパマッサージの時においてリンパマッサージ用の浴水を吐出していないノズル装置１の気泡生成部１５で気泡を生成する制御を行うよう設定されている。即ち制御部２０は、浴水吐出部１４にてリンパマッサージ用の浴水を吐出するノズル装置１を前端から後端まで順番に変更していき、この時においてリンパマッサージ用の浴水を吐出していないノズル装置１から気泡を発生させるようにしている。
【００３４】
以下制御部２０による具体的な制御について説明する。ここで本実施形態では、前述したように左右方向に並ぶノズル装置１の内側房連通管３３は同じ水用分岐路１９ａ（又は１９ｂ）に接続されており、また左右方向に並ぶノズル装置１の中間房連通管３２は同じ小気泡生成水流用分岐路１９ｂに接続しているため、左右方向に並ぶノズル装置１は、リンパマッサージ用の浴水又は小気泡又は大気泡のうち同じものを同じタイミングで吐出するものとなっている。
【００３５】
具体的に制御部２０は、空気ポンプ５１及び水ポンプ６１を駆動すると共に、流路切替え弁６２ａ〜ｃを切り換え制御することで、図７に示すように前後方向に一列に並べられたノズル装置１のうち前端に配置されたノズル装置１ａから後端に配置されたノズル装置１ｃにかけて順番にその浴水吐出部１４から前記吸込口から吸い込んだ浴水を間欠的に吐出して、リンパマッサージ流を入浴者７のリンパに当ててリンパマッサージを行うと共に、このリンパマッサージ時において前記リンパマッサージ用の浴水を吐出していない全てのノズル装置１の気泡生成部１５から小気泡を生成するリンパマッサージ小気泡モードと、該リンパマッサージ小気泡モードと同様に順番にリンパマッサージ用の浴水を吐出すると共に、このリンパマッサージ時においてリンパマッサージ用の浴水を吐出していない全てのノズル装置１の気泡生成部１５から大気泡を生成するリンパマッサージ大気泡モードと、前記モードと同様にリンパマッサージ用の浴水を順番に吐出すると共に、このリンパマッサージ時においてリンパマッサージ用の浴水を吐出していない全てのノズル装置１のうち一部のノズル装置１で大気泡を生成すると共に他部のノズル装置１で小気泡を生成するリンパマッサージ小大気泡モードと、の３つのモードを備え、これら３つのモードを使用者は選択して運転できるようになっている。
【００３６】
上記リンパマッサージ小気泡モード、リンパマッサージ大気泡モード、リンパマッサージ小大気泡モードでは、空気ポンプ５１及び水ポンプ６１が常時駆動されており、これら３つのモードの切り換えは、流路切替え弁６２を切り換え制御することで行われている。
【００３７】
まずリンパマッサージ小気泡モードについて説明する。リンパマッサージ小気泡モードにあっては、まず前後方向に一列に並べられたノズル装置１のうち前端に配置されたノズル装置１ａ（破線ａで囲まれたノズル装置１ａ）に接続された水用副流路１７ａの流路切替え弁６２ａを、水用合流路１８の浴水がリンパマッサージ流用分岐路１９ａ側のみに流れるように切り替え、同時に他の流路切替え弁６２ｂ、６２ｃを、水用合流路１８の浴水が小気泡生成水流用分岐路１９ｂ側のみに流れるように切り換える。これによりノズル装置１ａでは、水ポンプ６１から送られた浴水が内側房連通管３３、内側房２３、を順に通って内側ノズル４３から吐出されると共に、空気ポンプ５１から送られた空気が外側房連通管３１、外側房２１、を順に通って内側ノズル４３内へと吐出されることとなり、この結果、内側ノズル４３からは図８（ａ）に示すように浴水に気泡を混入した気泡入り浴水からなるリンパマッサージ用の浴水が吐出されることとなる。またこれと同時にノズル装置１ａ以外のノズル装置１ｂ、１ｃでは、水ポンプ６１から送られた浴水が中間房連通管３２、中間房２２、を順に通って中間ノズル４２から吐出されると共に、空気ポンプ５１から送られた空気が外側房連通管３１、外側房２１、を順に通って内側ノズル４３内へと吐出されることとなり、この結果、外側ノズル４１から吐出された空気には中間ノズル４２から吐出された浴水が衝突して外側ノズル４１から吐出された気泡が径が数ｍｍ程度の微細な小気泡に分裂させられ、これにより図８（ｂ）に示す小気泡が生成される。そしてこの時点から所定時間ｔ（数秒〜数十秒）経過後に、前回内側ノズル４３からリンパマッサージ用の浴水を吐出したノズル装置１ａの次に前側に位置するノズル装置１ｂ（即ち破線ｂで囲まれたノズル装置１ｂ）に接続される水用副流路１７ｂの流路切替え弁６２ｂを、水用合流路１８の浴水がリンパマッサージ流用分岐路１９ａ側のみに流れるように切り替え、同時に他の流路切替え弁６２ａ、６２ｃを、水用合流路１８の浴水が小気泡生成水流用分岐路１９ｂ側のみに流れるように切り換える。これによりノズル装置１ａからのリンパマッサージ用の浴水の吐出は停止され、これと同時にノズル装置１ａの次に前側に位置するノズル装置１ｂの内側ノズル４３からは、前記ノズル装置１ａと同様にリンパマッサージ用の浴水が吐出され、またこれと同時にノズル装置１ａ、１ｃから前記同様小気泡が生成され、以下、同様の制御を後端に配置されたノズル装置１ｃ（即ち破線ｂで囲まれたノズル装置１ｃ）の内側ノズル４３からリンパマッサージ用の浴水の吐出が停止されるまで行い、しかして１サイクルを終了する。そしてこのサイクルの終了以後、上記と同じサイクルを繰り返し行う。このようにリンパマッサージ小気泡モードでの運転にあっては、前後方向に並設された複数のノズル装置１のうち前端に配置されたノズル装置１ａから後端に配置されたノズル装置１ｃにかけて順番にその浴水吐出部１４から浴水を吐出し、この際にリンパマッサージ用の浴水を吐出していないノズル装置１から小気泡を発生するものであって、これにより入浴者７に対して上記リンパマッサージ用の浴水を当ててリンパマッサージを行うと共に、リンパマッサージ用の浴水が当てられていない部位に小気泡を当てて、該小気泡の付着による保温（温熱）効果を与えることができる。
【００３８】
次にリンパマッサージ大気泡モードについて説明する。リンパマッサージ大気泡モードにあっては、まず上記リンパマッサージ小気泡モードと同様流路切替え弁６２ａを、水用合流路１８の浴水がリンパマッサージ流用分岐路１９ａ側のみに流れるように切り替え、同時に他の流路切替え弁６２ｂ、６２ｃを、水用合流路１８の浴水がリンパマッサージ流用分岐路１９ａ側及び小気泡生成水流用分岐路１９ｂ側のどちらにも流れないように切り換える。これによりノズル装置１ａの内側ノズル４３からはリンパマッサージ用の浴水が吐出され、またこれと同時にノズル装置１ｂ、１ｃでは空気ポンプ５１から送られた空気が外側房連通管３１、外側房２１、を順に通って外側ノズル４１から吐出される。この外側ノズル４１から吐出された気泡は図８（ｃ）に示すように浮力によってそのまま湯中を上方へと移動し、この際に気泡同士が合体して大きな気泡（径が数ｃｍ程度）が多数形成される。そしてこの時点から所定時間ｔ経過後に、前回内側ノズル４３からリンパマッサージ用の浴水を吐出したノズル装置１ａの次に前側に位置するノズル装置１ｂに接続される水用副流路１７ｂの流路切替え弁６２ｂを、水用合流路１８の浴水がリンパマッサージ流用分岐路１９ａ側のみに流れるように切り替え、同時に他の流路切替え弁６２ａ、６２ｃを、水用合流路１８の浴水がリンパマッサージ流用分岐路１９ａ側及び小気泡生成水流用分岐路１９ｂ側のどちらにも流れないように切り換え、この結果、ノズル装置１ａからのリンパマッサージ用の浴水の吐出は停止され、これと同時にノズル装置１ｂの内側ノズル４３からはリンパマッサージ用の浴水が吐出され、これと同時にノズル装置１ａ、１ｃからは大気泡が生成され、以下、同様の制御を後端に配置されたノズル装置１ｃの内側ノズル４３からリンパマッサージ用の浴水の吐出が停止されるまで行い、しかして１サイクルを終了する。そしてこのサイクルの終了以後、上記と同じサイクルを繰り返し行う。このようにリンパマッサージ大気泡モードでの運転にあっては、前後方向に並設された複数のノズル装置１のうち前端に配置されたノズル装置１ａから後端に配置されたノズル装置１ｃにかけて順番にその浴水吐出部１４から浴水を吐出し、この際にリンパマッサージ用の浴水を吐出していないノズル装置１から大気泡を発生するものであって、これにより入浴者７に対してリンパマッサージ用の浴水を当ててリンパマッサージを行うと共に、リンパマッサージ用の浴水が当てられていない部位に大気泡を当てて大気泡が皮膚表面ではじける際の圧力によるマッサージ効果を与えることができる。
【００３９】
次にリンパマッサージ小大気泡モードについて説明する。リンパマッサージ小大気泡モードにあっては、上記リンパマッサージ小気泡モードやリンパマッサージ大気泡モードと同様、まず流路切替え弁６２ａを、水用合流路１８の浴水がリンパマッサージ流用分岐路１９ａ側のみに流れるように切り替え、同時に他の流路切替え弁６２ｂ、６２ｃの内、一部の流路切換え弁６２ｃを水用合流路１８の浴水が小気泡生成水流用分岐路１９ｂ側のみに流れるように切り換え、他部の流路切り換え弁６２ｂを、水用合流路１８の浴水がリンパマッサージ流用分岐路１９ａ側及び小気泡生成水流用分岐路１９ｂ側のどちらにも流れないように切り換える。これによりノズル装置１ａの内側ノズル４３からはリンパマッサージ用の浴水が吐出され、またこれと同時に前端に配置されたノズル装置１ａ以外のノズル装置１ｂ、１ｃの内、一部のノズル装置１ｃ（前記流路切換え弁６２ｃを設けた水用副流路１７ｃに接続されたノズル装置１ｃ）では小気泡が生成され、またこれと同時に他部のノズル装置１ｂ（前記流路切換え弁６２ｂを設けた水用副流路１７ｂに接続されたノズル装置１ｂ）では大気泡が生成される。そしてこの時点から所定時間ｔ経過後に、前回内側ノズル４３からリンパマッサージ用の浴水を吐出したノズル装置１ａの次に前側に位置するノズル装置１ｂに接続される水用副流路１７ｂの流路切替え弁６２ｂを、水用合流路１８の浴水がリンパマッサージ流用分岐路１９ａ側のみに流れるように切り替え、同時に他の流路切替え弁６２ａ、６２ｃの内、一部の流路切換え弁６２ａを水用合流路１８の浴水が小気泡生成水流用分岐路１９ｂ側のみに流れるように切り換え、他部の流路切り換え弁６２ｃを、水用合流路１８の浴水がリンパマッサージ流用分岐路１９ａ側及び小気泡生成水流用分岐路１９ｂ側のどちらにも流れないように切り換え、この結果、ノズル装置１ａからのリンパマッサージ用の浴水の吐出は停止され、これと同時にノズル装置１ａ、１ｃの内、一部のノズル装置１ａ（前記流路切換え弁６２ａを設けた水用副流路１７ａに接続されたノズル装置１ａ）では小気泡が生成され、またこれと同時に他部のノズル装置１ｃ（前記流路切換え弁６２ｃを設けた水用副流路１７ｃに接続されたノズル装置１）では大気泡が生成され、以下、同様の制御を後端に配置されたノズル装置１ｃからリンパマッサージ用の浴水の吐出が停止されるまで行い、しかして１サイクルを終了する。そしてこのサイクルの終了以後上記と同じサイクルを繰り返し行う。このようにリンパマッサージ小大気泡モードでの運転にあっては、前後方向に並設された複数のノズル装置１のうち前端に配置されたノズル装置１ａから後端に配置されたノズル装置１ｃにかけて順番にその浴水吐出部１４から浴水を吐出し、この際にリンパマッサージ用の浴水を吐出していないノズル装置１の一部から小気泡を発生すると共に、他部から大気泡を発生するものであって、これにより入浴者７に対してリンパマッサージを行うと同時に、リンパマッサージ用の浴水が当てられていない部位に小気泡又は大気泡を当てて小気泡による温熱効果及び大気泡によるマッサージ効果を与えることができる。なお図７に示すリンパマッサージ小大気泡モードでは各ノズル装置１からマッサージ流→小気泡→大気泡の順に吐出するものとしたが、マッサージ流→大気泡→小気泡の順に吐出しても良いものとする。
【００４０】
以上説明したように本発明のリンパマッサージバスにあっては、複数のノズル装置１のうち前端に配置されたノズル装置１ａから後端に配置されたノズル装置１ｃにかけて順番に浴水を吐出することで、入浴者７の足先側から頭部側に向かって流れるリンパの流れに沿って順番に浴水を当てることができ、これによりマッサージ効果の高いリンパマッサージを入浴者７に対して行うことができ、さらには上記浴水によるリンパマッサージの際には、リンパマッサージ用の浴水を吐出していないノズル装置１の気泡生成部１５で気泡を生成するので、リンパマッサージ用の浴水が当てられていない部位に気泡を当てることができ、入浴者７に対してリンパマッサージ効果と気泡による温熱効果を同時に与えることができる。また使用される各ノズル装置１は、浴水を浴槽８内に向けて吐出する浴水吐出部１４と気泡を生成する気泡生成部１５とを備えると共に浴水吐出部１４からの浴水の吐出と気泡生成部１５での気泡の生成とを選択的に行えるものであるので、ノズル装置１の施工が容易とでき、また配管等のシステムを単純化でき、これによりコストを削減できる。
【００４１】
また上記各ノズル装置１の浴水吐出部１４から吐出される浴水の吐出方向を斜め後方としているので、入浴者７のリンパの流れ方向に向けて浴水を吐出することができ、リンパマッサージによる効果が一層増す。
【００４２】
また本実施形態では上記各ノズル装置１を気泡生成部１５で小気泡と大気泡を選択的に生成できるものとしたことで、使用者の状態に合わせて気泡生成部１５にて生成される気泡の大きさを変更することができる。
【００４３】
なお本実施形態のリンパマッサージバスはリンパマッサージ小気泡モード、リンパマッサージ大気泡モード、リンパマッサージ小大気泡モードからなる３つのモードを備えたものであるが、リンパマッサージ小気泡モード及びリンパマッサージ大気泡モードからなる２つのモードを備えたものや、リンパマッサージ大気泡モード及びリンパマッサージ小大気泡モードからなる２つのモードを備えたものとする等しても良く、さらには上記各種モードに加えて選択できるモードとして、各ノズル装置１から小気泡及び又は大気泡のみを吐出するモードや、複数のノズル装置１のうち前端に配置されたノズル装置１ａから後端に配置されたノズル装置１ｃにかけて順次浴水を吐出し、この際に気泡を吐出しないモード等を備えても良い。またノズル装置１には大気泡又は小気泡のうちいずれかを選択的に生成できる気泡生成部１５を設けたが、該気泡生成部１５としては大気泡のみを生成するものとしたり、小気泡のみを生成するものとしても良い。また左右方向に並ぶノズル装置１は、全てのモードにおいて浴水の吐出及び吐出の停止や、小気泡の生成及び生成の停止や、大気泡の生成及び生成の停止が同期するものとしたが、これらは同期しないようにしても良い。また浴水吐出部１４から吐出されるリンパマッサージ用の浴水を気泡を含む浴水としたが、気泡を含まない浴水としても良い。
【００４４】
また本実施形態では前後方向に３つのノズル装置１を設けてなる列を左右方向に間隔を介して２列設けたが、１列のノズル装置１の数や列数はこれに限定されるものではない。図９に一例を示すと、この例では前後方向に５つのノズル装置１を設けてなる列を、入浴者７の両下肢の幅方向における中心を通る位置に夫々設け、前後方向に３つのノズル装置１を設けてなる列を、前記２列の両側において入浴者７の両腕の前腕の幅方向における中心を通る位置に夫々設け、これにより計４列設けている。ここで図９の内側２列にあっては、ノズル装置１を、前後方向において、入浴者７の下肢の足先と同じ位置、下肢の膝と同じ位置、下肢の大腿部と同じ位置、腕の上腕と同じ位置、肩と同じ位置の５箇所に設けており、外側２列にあっては、下肢の膝と同じ位置、下肢の大腿部と同じ位置、腕の上腕と同じ位置、の３箇所に設けている。
【００４５】
また図１０に更に他例を示すと、この例では、浴槽８の左右の側壁部８ｄ、８ｅの下部に複数のノズル装置１を前後方向に並設してあり、ノズル装置１から浴槽８内方に向けてリンパマッサージ用の浴水を吐出するようにしている。ここで図１０にあってはノズル装置１を前後方向に４つ並設して、ノズル装置１を、各側壁部８ｄ（又は８ｅ）の前後方向において入浴者７の下肢の足先と同じ位置、下肢の膝と同じ位置、下肢の大腿部と同じ位置、両腕の上腕と同じ位置、の４箇所に設けている。
【図面の簡単な説明】
【００４６】
【図１】本発明の実施の形態の一例を示し、リンパマッサージバスのシステム構成図である。
【図２】同上の浴槽に入浴者が入浴した状態を示す説明図であり、（ａ）は平面図であり、（ｂ）は側面図である。
【図３】同上のノズル装置の全体斜視図である。
【図４】同上のノズル装置の外側房連通管と外側ノズルの接続を示す縦断面図である。
【図５】同上のノズル装置の中間房連通管と中間ノズルの接続を示す縦断面図である。
【図６】同上のノズル装置の内側房連通管と内側ノズルの接続を示す縦断面図である。
【図７】（ａ）は同上のマッサージ小気泡モード運転時のタイムチャートであり、（ｂ）は同上のマッサージ大気泡モード運転時のタイムチャートであり、（ｃ）は同上のマッサージ小大気泡モード運転時のタイムチャートである。
【図８】同上の浴槽の底面部に設置されたノズル装置の使用状態を示し、（ａ）はリンパマッサージ用の浴水を吐出した状態を示す斜視図であり、（ｂ）は小気泡を生成した状態を示す斜視図であり、（ｃ）は大気泡を生成した状態を示す斜視図である。
【図９】本発明の実施の形態の他例を示し、浴槽に入浴者が入浴した状態を示す平面図である。
【図１０】本発明の実施の形態の更に他例を示す説明図であり、（ａ）は浴槽に入浴者が入浴した状態を示す平面図であり、（ｂ）は側面図である。
【符号の説明】
【００４７】
イ  並設方向
ロ  前方
ハ  後方
１  ノズル装置
１ａ  前端のノズル装置
１ｃ  後端のノズル装置
７  入浴者
８  浴槽
１４  浴水吐出部
１５  気泡生成部
２０  制御部
【図１】
2006087718.tif 000003
【図２】
2006087718.tif 000004
【図３】
2006087718.tif 000005
【図４】
2006087718.tif 000006
【図５】
2006087718.tif 000007
【図６】
2006087718.tif 000008
【図７】
2006087718.tif 000009
【図８】
2006087718.tif 000010
【図９】
2006087718.tif 000011
【図１０】
2006087718.tif 000012